(57)【特許請求の範囲】
【請求項１】
軟磁性体にて構成される周囲に少なくとも１ターン以上の巻線を施し、前記巻線に流れる電流によって前記磁心が励磁され前記巻線の端末に所望のインダクタンスを得るコイル部品に用いられる前記磁心であって、前記磁心の中心を通る一直線方向または一直径方向と平行な方向に設けられたギャップ部を含んだ磁路を形成するとともに前記磁心の前記一直線または前記一直径寄りの一端のみに一体に設けられた出っ張り部を設けてある構造を備えていることを特徴とする磁心。
【請求項２】
請求項１記載の磁心において、前記出っ張り部は、前記一端の前記磁心の外側又は内側の内の少なくとも一方に突出して設けられていることを特徴とする磁心。
【請求項３】
請求項１又は２記載の磁心において、前記ギャップ部は、前記磁心の一端面と他端面側の側面とが対向することによって形成されていることを特徴とする磁心。
【請求項４】
請求項１乃至３の内のいずれか一つに記載の磁心において、前記磁心の他端面側に前記巻線装着の際の飛び出し防止用のキャップを備えていることを特徴とする磁心。
【請求項５】
請求項１乃至４の内のいずれか一つに記載の磁心を用い、この磁心に前記巻線を施したことを特徴とするコイル部品。
【請求項６】
請求項５記載のコイル部品において、前記磁心はトロイダル形状を備え、前記巻線は、予め巻線された空芯コイルを、前記磁心に挿入されていることを特徴とするコイル部品。
【発明の詳細な説明】
【０００１】
【発明の属する技術分野】
本発明は、磁性コアに巻回されたコイルを備えたインダクタに関し、特に、各種電子機器や電源に使用され、ギャップを備えたコイル部品に関する。
【０００２】
【従来の技術】
従来、図１２に示す半閉磁路インダクタが提案されている（特開２００１−８５２３３公報、参照）。図１２は従来のインダクタ部品の一例としての半閉磁路インダクタを示す正面図、図１３（ａ）及び（ｂ）は図１２の半閉磁路インダクタの磁心の正面図及び側面図である。
【０００３】
図１２及び図１３（ａ）及び（ｂ）に示すように、環状閉磁路磁芯（磁心）１０１の一部を切断された磁芯の切断面を乖離させて、予め銅線１０２を捲回して形成された角筒状コイル空芯部に挿入した後、切断面１０４を接合して環状半閉磁路磁心を形成して半閉磁路インダクタ１００を完成させたものである。
【０００４】
また、図１４及び図１５に示すような磁気ギャップを有する磁心を備えたチョークコイル装置が開示されている（特開２０００−２７７３３７公報参照）。図１４は従来のインダクタ部品のもう一つの例としてのチョークコイル装置のコアの正面図、図１５（ａ），（ｂ），及び（ｃ）はチョークコイル装置の組立ての説明に供せられる正面図である。
【０００５】
図１４に示すように、この従来のチョークコイル装置１１０は、磁気ギャップ４１ａを有するコア１１４を作製し、図１５（ａ）に示す空芯コイル１１５を作成する。この空芯コイル１１５は、コア（磁心）１１４の隙間１１３から、コア１１４の中央孔へ空芯コイル１１５の一部を挿入して、コア１１４の周囲に空芯コイル１１５を装着する。空芯コイル１１５は、図１５（ｂ）に示すように、コア１１４の円弧形状に沿って弾性変形し、全長がコア１１４の周囲に装着されることになる。その後、コア１１４の隙間１１３に非磁性材料、磁性材料で非導電性のスペーサ１１６を装着して、固定する。図１５（ｃ）に示すように、空芯コイル１１５の巻線ピッチを整え、更に、リード部を形成して、チョークコイル装置１１０を完成したものである。
【０００６】
【発明が解決しようとする課題】
しかしながら、従来技術において、トロイダルコアにギャップを設け、そのギャップ部から機械巻きされた空芯コイルを挿入してなるインダクタ部品において、機械巻きされた空芯コイルは、コアに挿入すると巻き幅方向に広がる傾向がありまた挿入する際、特にコイルの巻き数が多い場合は空芯コイル終端部がギャップ部からコア外側に出やすかった。
【０００７】
そこで、本発明の技術的課題は、空芯コイルをコアのギャップ部より挿入する際、コイルの組み込み接着、及び固定が容易に出来る磁心及びそれを用いたコイル部品を提供することにある。
【０００８】
【課題を解決するための手段】
本発明によれば、軟磁性体にて構成される周囲に少なくとも１ターン以上の巻線を施し、前記巻線に流れる電流によって前記磁心が励磁され前記巻線の端末に所望のインダクタンスを得るコイル部品に用いられる前記磁心であって、前記磁心の中心を通る一直線方向または一直径方向と平行な方向に設けられたギャップ部を含んだ磁路を形成するとともに前記磁心の前記一直線または前記一直径寄りの一端のみに一体に設けられた出っ張り部を設けてある構造を備えていることを特徴とする磁心が得られる。
【０００９】
また、本発明によれば、前記磁心において、前記出っ張り部は、前記一端の前記磁心の外側又は内側の内の少なくとも一方に突出して設けられていることを特徴とする磁心が得られる。
【００１０】
また、本発明によれば、前記いずれかの磁心において、前記ギャップ部は、前記磁心の一端面と他端面側の側面とが対向することによって形成されていることを特徴とする磁心が得られる。
【００１１】
また、本発明によれば、前記いずれか一つの磁心において、前記磁心の他端面側に前記巻線装着の際の飛び出し防止用のキャップを備えていることを特徴とする磁心が得られる。
【００１２】
また、本発明によれば、前記いずれか一つの磁心を用い、この磁心に前記巻線を施したことを特徴とするコイル部品が得られる。
【００１３】
また、本発明によれば、前記コイル部品において、前記磁心はトロイダル形状を備え、前記巻線は、予め巻線された空芯コイルを、前記磁心に挿入されていることを特徴とするコイル部品が得られる。
【００１４】
【発明の実施の形態】
以下、本発明の実施の形態について図面に基づき詳細に説明する
図１は本発明の第１の実施の形態に係るインダクタ部品の基本構成を示す正面図である。図２（ａ）及び（ｂ）は図１に示すコアに巻線を施す方法を示す正面図である。
【００１５】
図１を参照すると、コイル部品の一例としてのインダクタ部品１０においては、トロイダル状のコア（磁心）１１のギャップ部１を形成するコア１１の一端部１１ｂに半径方向外側に突出する出っ張り部１１ｃが設けられている。このコア１１に、予め巻線された空芯コイル１２を挿入して構成される。
【００１６】
図１に示すコアに巻線を施す方法について説明すると、図２（ａ）に示す様に、予め自動巻線機等で巻線された空芯コイル１２をギャップ部１の切り口を通して、先の尖った内側の側面が直線状の突出部１１ａから図の様にコア１１に挿入する。その際、空芯コイル１２は、コア１１の曲率に沿ってコア内部に進入し巻コイルの組み込みが完了する。この際、絶縁材としてチューブなどを一緒に組み込むことも出来る。このコア１１においては、出っ張り部１１ｃが、空芯コイル１２のストッパーの役割をし、空芯コイル１２がギャップ部１からコア外部に抜け出るのを防ぎ、空芯コイル１２を固定することが可能となる。
【００１７】
図３は図１のインダクタ部品の変形例を示す正面図で、（ａ）はキャップを装着する前の状態を示す正面図で、（ｂ）はキャップを装着した後の状態を示す正面図である。
【００１８】
図３（ａ）を参照すると、ギャップ部１の出っ張り部１１ｃを設けていない側の磁心の端部１１ａに、図３（ｂ）に示すように、キャップ１３をかぶせ、固定することにより、空芯コイル１２を接着しなくても、ギャップ部１からのコイル飛び出しを完全に防ぐことが可能となるインダクタ部品２０が得られる。尚、符号１３ａは、キャップの出っ張り部である。
【００１９】
図４は本発明の第２の実施の形態によるインダクタ部品の基本構成を示す図である。図４を参照すると、第２の実施の形態によるインダクタ部品３０は、ギャップ部１を為すコア１１の一端部１１ｂの内側に向かって出っ張り部１１ｄが設けられている点で、図１に示すインダクタ部品とは異なっている他は同様の構成を有している。出っ張り部１１ｄは、ギャップから離れる側面が角張り、ギャップ部がわが丸く形成されている。
【００２０】
図５は本発明の第３の実施の形態によるインダクタ部品の基本構成を示す図である。図５を参照すると、第３の実施の形態によるインダクタ部品３０は、ギャップ部１を為すコア１１の一端部１１ｂの外側及び内側に向かって夫々出っ張り部１１ｃ，１１ｄが設けられている点で、図１乃至図４に示す例とは異なっている他は、同様の構成を有している。空芯コイル１２は、先の例と同様に装着される。
【００２１】
図６は本発明の第４の実施の形態によるインダクタ部品の基本構成を示す正面図である。図６を参照すると、第４の実施の形態によるインダクタ部品３１は、ギャップ部１を為すコア１１の一端部１１ｂの内側に向かって出っ張り部１１ｄが設けられ、また、コア１１の他端部１１ｅ側付近のコア外周の一部が弧ではなく直線とした形状で先端部が平らな角型となっている点で、図１乃至図４，図５に示す例とは異なっている他は、図１，図４，及び図５に示したインダクタ部品と同様の構成を有している。空芯コイル１２は先の例と同様に装着される。
【００２２】
図７は本発明の第５の実施の形態によるインダクタ部品の基本構成を示す正面図である。図７を参照すると、第５の実施の形態によるインダクタ部品３２は、ギャップ部１を為すコア１１の一端部１１ｂの外側に向かって出っ張り部１１ｃが設けられ、また、コア１１の他端部１１ｅ側付近のコア外周の一部が弧ではなく直線とした形状で先端部が平らな角柱形状となっている点で、図１，図４，図５及び図６に示す例とは異なっている他は、図１，図４，図５及び図６に示したインダクタ部品と同様の構成を有している。空芯コイル１２は、先の例と同様に磁心に装着される。
【００２３】
図８は本発明の第６の実施の形態によるインダクタ部品の基本構成を示す正面図である。図８を参照すると、第６の実施の形態によるインダクタ部品３３は、ギャップ部１を為すコア１１の一端部１１ｂの外側及び内側に向かって夫々出っ張り部１１ｃ，１１ｄが設けられ、また、コア１１の他端部１１ｅ側付近のコア外周の一部が弧ではなく直線とした形状で先端部が平らな角柱形状となっている点で、図１及び図４に示す例とは異なっている他は、図１，図４，図５及び図６に示したインダクタ部品と同様の構成を有している。空芯コイル１２は、先の例と同様に装着される。
【００２４】
図９は本発明の第７の実施の形態に係るインダクタ部品の基本構成を示す正面図である。
【００２５】
図９を参照すると、インダクタ部品４０においては、角形状で角部が幾分丸いコア２１のギャップ部２を形成するコア２１ｂの一端部に内側に突出する出っ張り部２１ｃが設けられている。また、コア２１のもう一つの端部２１は、コアのなす四角の一辺が直線状に延びるとともに、先端部がコアの端部２１ｂと同じ高さまで延びている。このコア２１に、予め巻線された空芯コイル１２を挿入してインダクタ部品４０構成される。
【００２６】
図９に示すコアに巻線を施す方法について説明すると、予め自動巻線機等で巻線された空芯コイル１２をギャップ部２の切り口を通して、先の平らな突出部２１ａから図の様にコア２１に挿入し、空芯コイル１２は、コア２１に沿ってコア内部に進入し巻コイルの組み込みが完了する。この際、絶縁材としてチューブなどを一緒に組み込むことも出来る。
【００２７】
出っ張り部１１ｃが空芯コイル１２のストッパーの役割をし、空芯コイル１２がギャップ部１からコア外部に抜け出るのを防ぎ、空芯コイル１２を固定することが可能となる。
【００２８】
図１０は本発明の第８の実施の形態によるインダクタ部品の基本構成を示す正面図である。図１０を参照すると、第８の実施の形態によるインダクタ部品４１は、ギャップ部２を為す四角形状のコア２１の一端部２１ｂの外側に向かって出っ張り部２１ｄが設けられ、また、コア２１の他端部２１ａ側付近のコア２１の一辺を直線とした形状で先端部が平らな角柱形状となっている点で、図９に示す例と同様で、図９に示したインダクタ部品と同様の構成を有している。巻線コイルは、先の例に示したものと同様に装着される。
【００２９】
図１１は本発明の第９の実施の形態によるインダクタ部品の基本構成を示す図である。図１１を参照すると、第９の実施の形態によるインダクタ部品４２は、ギャップ部２を為すコア２１の一端部２１ｂの外側及び内側に向かって夫々出っ張り部２１ｃ，２１ｄが設けられ、また、コア２１の他端部２１ａ側付近のコア２１の一辺を直線とした形状で先端部が平らな角柱形状となっている点で、図９及び図１０に示す例と同様で、図９及び図１０に示したインダクタ部品と同様の構成を有している。空芯コイル１２は、先の例と同様に装着される。
【００３０】
【発明の効果】
以上のべたように、本発明により空芯コイルをギャップ部より挿入する際、出っ張り部がコイル終端部のストッパーの役割を持つため、コイルの組み込み接着、及び固定が容易に出来ることが可能となる。
【図面の簡単な説明】
【図１】本発明の第１の実施の形態に係るインダクタ部品の基本構成を示す正面図である。
【図２】（ａ）及び（ｂ）は図１に示すコア１１に巻線を施す方法を示す正面図である。
【図３】図１のインダクタ部品の変形例を示す図で、（ａ）はキャップを装着する前の状態を示す図で、（ｂ）はキャップを装着した後の状態を示す正面図である。
【図４】図４は本発明の第２の実施の形態によるインダクタ部品の基本構成を示す正面図である。
【図５】図５は本発明の第３の実施の形態によるインダクタ部品の基本構成を示す正面図である。
【図６】本発明の第４の実施の形態によるインダクタ部品の基本構成を示す正面図である。
【図７】本発明の第５の実施の形態によるインダクタ部品の基本構成を示す正面図である。
【図８】本発明の第６の実施の形態によるインダクタ部品の基本構成を示す正面図である。
【図９】本発明の第７の実施の形態に係るインダクタ部品の基本構成を示す正面図である。
【図１０】本発明の第８の実施の形態によるインダクタ部品の基本構成を示す正面図である。
【図１１】本発明の第９の実施の形態によるインダクタ部品の基本構成を示す正面図である。
【図１２】従来の半閉磁路インダクタを示す正面図である。
【図１３】（ａ）及び（ｂ）は図１２の磁心の正面図及び側面図である。
【図１４】従来のチョークコイル装置のコアを示す正面図である。
【図１５】（ａ），（ｂ），（ｃ）は図１４のコアを用いたチョークコイル装置の組立てを示す正面図である。
【符号の説明】
１，２    ギャップ部
１０，２０，３０，３１，３２，４０，４１，４２    インダクタ部品
１１，２１    コア
１１ａ，２１ａ    突出部（他端部）
１１ｂ，２１ｂ    一端部
１１ｃ，２１ｃ    出っ張り部
１１ｄ，２１ｄ    出っ張り部
１１ｅ    他端部
１２    空芯コイル
４１ａ    磁気ギャップ
１００    半閉磁路インダクタ
１０１    磁芯
１０２    銅線
１０４    切断面
１１０    チョークコイル装置
１１３    隙間
１１４    コア
１１５    空芯コイル
１１６    スペーサ
【図１】
0004603728.tif 000002
【図２】
0004603728.tif 000003
【図３】
0004603728.tif 000004
【図４】
0004603728.tif 000005
【図５】
0004603728.tif 000006
【図６】
0004603728.tif 000007
【図７】
0004603728.tif 000008
【図８】
0004603728.tif 000009
【図９】
0004603728.tif 000010
【図１０】
0004603728.tif 000011
【図１１】
0004603728.tif 000012
【図１２】
0004603728.tif 000013
【図１３】
0004603728.tif 000014
【図１４】
0004603728.tif 000015
【図１５】
0004603728.tif 000016